(57)【要約】【課題】前屈みの姿勢においてもウエストバンドの初期位置を維持し、臀部からの漏れを抑制できる使い捨ておむつを提供する。【解決手段】使い捨ておむつ(10)は、肌面側シート(20)と、ウエストバンド(80)と、を有する。ウエストバンドは、起立可能に構成された起立部(85)と、起立支点となる基端部と、を有する。基端部は、起立部と前後方向に隣接する前後基端部(84)と、起立部と幅方向に隣接する幅基端部(87)と、を有する。起立部は、前後基端縁から前後方向に延びる延出部(88)と、延出部の前後方向の端縁に位置する折り目を基点に肌面側に折り畳まれた肌当接部(89)と、を有する。ウエストバンドの伸長状態において、肌当接部の前後方向の長さをａとし、延出部の前後方向の長さをｂとし、前後基端縁から使い捨ておむつの後端縁までの前後方向の距離をｃとすると、ａ＋ｂ＞ｃを満たす。【選択図】図４
2020089673.tif 000002
【特許請求の範囲】
【請求項１】
互いに直交する前後方向及び幅方向と、
前胴回り域、後胴回り域、及び前記前胴回り域及び前記後胴回り域との間に配置された股下域と、
吸収コアと、
前記吸収コアよりも肌対向面側に位置する肌面側シートと、
前記後胴回り域において、前記肌面側シートよりも肌対向面側に位置し、前記幅方向に伸縮するウエストバンドと、
前記後胴回り域に配置されたファスニングテープと、を有し、
前記肌面側シートは、表面シートと、前記表面シートの前記幅方向の外側部を覆う一対のサイドシートと、を有し、
前記一対のサイドシートのそれぞれは、一対の防漏ギャザーを構成し、
前記防漏ギャザーは、防漏弾性部材の収縮によって収縮する収縮部と、前記収縮部よりも前記幅方向の外側において前記収縮部の起立支点となる幅支点部を有し、
前記ウエストバンドは、起立可能に構成された起立部と、前記起立部の起立支点となる基端部と、を有する使い捨ておむつであって、
前記基端部は、前記起立部と前記前後方向に隣接する前後基端縁を有する前後基端部と、前記起立部と前記幅方向に隣接する幅基端縁を有する幅基端部と、を有し、
前記起立部は、前記前後基端縁から前記前後方向に延びる延出部と、前記延出部の前記前後方向の端縁に位置する折り目を基点に肌面側に折り畳まれた肌当接部と、を有し、
前記幅基端縁は、前記幅支点部よりも前記幅方向の外側に位置し、
前記ウエストバンドの伸長状態において、前記肌当接部の前記前後方向の長さをａとし、前記延出部の前記前後方向の長さをｂとし、前記前後基端縁から前記使い捨ておむつの後端縁までの前記前後方向の距離をｃとすると、
前記ａ＋前記ｂ＞前記ｃを満たす、使い捨ておむつ。
【請求項２】
前記ファスニングテープは、前記前胴回り域に止着される係止部を有し、
前記ウエストバンドは、前記伸長状態において、前記係止部から前記幅方向に延びる領域よりも後側に延出している、請求項１に記載の使い捨ておむつ。
【請求項３】
前記ウエストバンドと前記ファスニングテープは、前記幅方向に離間している、請求項２に記載の使い捨ておむつ。
【請求項４】
前記ウエストバンドの前記起立部は、前記幅方向に伸縮するバンド伸縮領域を有し、
前記バンド伸縮領域は、前記肌当接部と前記延出部のそれぞれに設けられており、
前記肌当接部における前記バンド伸縮領域の前記前後方向の寸法は、前記延出部における前記バンド伸縮領域の前記前後方向の寸法よりも大きい、請求項３に記載の使い捨ておむつ。
【請求項５】
前記防漏ギャザーは、前記収縮部よりも後側において前記収縮部の起立支点となる後支点部を有し、
前記後支点部は、前記吸収コアと厚さ方向において重なる領域に配置されている、請求項１から請求項４のいずれか１項に記載の使い捨ておむつ。
【請求項６】
前記幅方向における前記ウエストバンドと前記ファスニングテープの間には、前記幅方向に伸縮する本体伸縮部が設けられている、請求項１から請求項５のいずれか１項に記載の使い捨ておむつ。
【請求項７】
前記吸収コアを前後方向に三等分した３つの領域のうち最も後側に配置された領域には、当該領域において前後方向に連続するエンボス部が形成されている、請求項１から請求項６のいずれか１項に記載の使い捨ておむつ。
【請求項８】
前記肌当接部の前記幅方向における伸長応力は、前記延出部の前記伸長応力よりも大きい、請求項１から請求項７のいずれか１項に記載の使い捨ておむつ。
【請求項９】
前記吸収コアと厚み方向に重なる領域には、前記幅方向及び前記前後方向の少なくとも一方に収縮する弾性体が前記吸収コアよりも非肌面側に配置されていない、請求項１から請求項８のいずれか１項に記載の使い捨ておむつ。
【発明の詳細な説明】
【技術分野】
【０００１】
本発明は、ウエストバンドを有する使い捨ておむつに関する。
【背景技術】
【０００２】
後胴回り域にウエストバンドを配置した使い捨ておむつが知られている（例えば、特許文献１参照）。ウエストバンドは、起立可能に構成された起立部と、前記起立部の起立支点となる基端部と、を有する。ウエストバンドの起立部は、着用者側に立ち上がり、ウエスト開口側に移動する排泄物を収容する収容空間を形成する。
【先行技術文献】
【特許文献】
【０００３】
【特許文献１】特開２０１６−１８７５１０号公報
【発明の概要】
【発明が解決しようとする課題】
【０００４】
使い捨ておむつを着用した着用者は、着用時に様々の姿勢を取る。姿勢によっては、使い捨ておむつの装着位置がずれることがある。特に、乳幼児の着用者は、寝た姿勢で脚をお腹側に引き寄せて脚の指しゃぶりをしたり抱っこされたりすることによって背中が丸まり、身体の外側のラインがＣ字状となる前屈みの姿勢を取ることがある。着用者が脚をお腹側に引き寄せていない状態と比較して、前屈みの姿勢では、背中の皮膚が伸びる。よって、装着時に適切に使い捨ておむつが装着されていたとしても、前屈みの姿勢において着用者の臀部が露出し、ウエストバンドによって排泄物を適切に収容できず、漏れが発生するおそれがあった。
【０００５】
また、特に、テープ型の使い捨ておむつにあっては、装着者がファスニングテープを止める操作を行うため、ファスニングテープの位置が装着者によって異なりやすい。ファスニングテープを止める位置によって、着用者に対する装着状態が変わる。そのため、適切に使い捨ておむつを装着することができず、前屈みの姿勢において着用者の臀部が露出し易く、ウエストバンドによって排泄物を適切に収容できず、漏れが発生するおそれがあった。
【０００６】
よって、前屈みの姿勢においてもウエストバンドの初期位置を維持し、臀部からの漏れを抑制できる使い捨ておむつが望まれる。
【課題を解決するための手段】
【０００７】
一態様に係る使い捨ておむつは、互いに直交する前後方向及び幅方向と、前胴回り域、後胴回り域、及び前記前胴回り域及び前記後胴回り域との間に配置された股下域と、吸収コアと、前記吸収コアよりも肌対向面側に位置する肌面側シートと、前記後胴回り域において、前記肌面側シートよりも肌対向面側に位置し、前記幅方向に伸縮するウエストバンドと、前記後胴回り域に配置されたファスニングテープと、を有し、前記肌面側シートは、表面シートと、前記表面シートの前記幅方向の外側部を覆う一対のサイドシートと、を有し、前記一対のサイドシートのそれぞれは、一対の防漏ギャザーを構成し、前記防漏ギャザーは、防漏弾性部材の収縮によって収縮する収縮部と、前記収縮部よりも前記幅方向の外側において前記収縮部の起立支点となる幅支点部を有し、前記ウエストバンドは、起立可能に構成された起立部と、前記起立部の起立支点となる基端部と、を有する使い捨ておむつであって、前記基端部は、前記起立部と前記前後方向に隣接する前後基端縁を有する前後基端部と、前記起立部と前記幅方向に隣接する幅基端縁を有する幅基端部と、を有し、前記起立部は、前記前後基端縁から前記前後方向に延びる延出部と、前記延出部の前記前後方向の端縁に位置する折り目を基点に肌面側に折り畳まれた肌当接部と、を有し、前記幅基端縁は、前記幅支点部よりも前記幅方向の外側に位置し、前記ウエストバンドの伸長状態において、前記肌当接部の前記前後方向の長さをａとし、前記延出部の前記前後方向の長さをｂとし、前記前後基端縁から前記使い捨ておむつの後端縁までの前記前後方向の距離をｃとすると、前記ａ＋前記ｂ＞前記ｃを満たす。
【図面の簡単な説明】
【０００８】
【図１】図１は、第１実施の形態に係る使い捨ておむつを肌対向面側から見た模式平面図である。
【図２】図２は、図１に示す２Ａ−２Ａ線に沿った模式断面図である。
【図３】図３は、図１に示す３Ａ−３Ａ線に沿った模式断面図である。
【図４】図４は、伸長状態における図１に示す４Ａ−４Ａ線に沿った模式断面図である。
【図５】図５は、自然状態における図１に示す４Ａ−４Ａ線に沿った模式断面図である。
【図６】図６は、図４を基準とした断面におけるウエストバンドが延出していない着用状態を模式的に示した図である。
【図７】図７は、図４を基準とした断面におけるウエストバンドが延出した着用状態を模式的に示した図である。
【図８】図８は、着用者が脚を曲げた状態と、曲げた脚を元に戻した状態と、の着用者の模式側面図である。
【図９】図９は、変形例に係る使い捨ておむつの図４を基準とした断面におけるウエストバンドが延出していない着用状態を模式的に示した図である。
【図１０】図１０は、変形例に係る使い捨ておむつの図４を基準とした断面におけるウエストバンドが延出した着用状態を模式的に示した図である。
【図１１】図１１は、変形例に係る使い捨ておむつの図２を基準とした断面を示した図である。
【０００９】
（１）実施形態の概要
本明細書及び添付図面の記載により、少なくとも以下の事項が明らかとなる。
一態様に係る使い捨ておむつは、互いに直交する前後方向及び幅方向と、前胴回り域、後胴回り域、及び前記前胴回り域及び前記後胴回り域との間に配置された股下域と、吸収コアと、前記吸収コアよりも肌対向面側に位置する肌面側シートと、前記後胴回り域において、前記肌面側シートよりも肌対向面側に位置し、前記幅方向に伸縮するウエストバンドと、前記後胴回り域に配置されたファスニングテープと、を有し、前記肌面側シートは、表面シートと、前記表面シートの前記幅方向の外側部を覆う一対のサイドシートと、を有し、前記一対のサイドシートのそれぞれは、一対の防漏ギャザーを構成し、前記防漏ギャザーは、防漏弾性部材の収縮によって収縮する収縮部と、前記収縮部よりも前記幅方向の外側において前記収縮部の起立支点となる幅支点部を有し、前記ウエストバンドは、起立可能に構成された起立部と、前記起立部の起立支点となる基端部と、を有する使い捨ておむつであって、前記基端部は、前記起立部と前記前後方向に隣接する前後基端縁を有する前後基端部と、前記起立部と前記幅方向に隣接する幅基端縁を有する幅基端部と、を有し、前記起立部は、前記前後基端縁から前記前後方向に延びる延出部と、前記延出部の前記前後方向の端縁に位置する折り目を基点に肌面側に折り畳まれた肌当接部と、を有し、前記幅基端縁は、前記幅支点部よりも前記幅方向の外側に位置し、前記ウエストバンドの伸長状態において、前記肌当接部の前記前後方向の長さをａとし、前記延出部の前記前後方向の長さをｂとし、前記前後基端縁から前記使い捨ておむつの後端縁までの前記前後方向の距離をｃとすると、前記ａ＋前記ｂ＞前記ｃを満たす。
【００１０】
本態様によれば、ウエストバンドの起立部は、幅基端縁及び前後基端縁を基点として起立し、排泄物を収容するポケットを形成する。このとき、身体の動きに応じて肌当接部が肌に当たった状態で延出部が変形し、ウエストバンドが身体の動きに追従する。起立部の前後方向の最大長さは、ａ＋ｂであり、前後基端縁から使い捨ておむつの後端縁までの前後方向の距離ｃよりも長い。よって、起立部が最も後側に延出した状態で、起立部は、使い捨ておむつの後端縁よりも後側に延出する。また、起立部が後側に延出する際における前後方向の基点は、前後基点縁であり、幅方向の基点は、幅基点縁である。幅基端縁が幅支点よりも幅方向の外側に位置しており、防漏ギャザーの収縮部の収縮によって厚さ方向にウエストバンドの起立部が浮き上がり難く、かつ前側に起立部が引っ張れ難い。よって、起立部の幅方向の基点の位置が安定し、起立部が後側に延出しやすくなる。前屈みの姿勢で背中の皮膚が伸びた際に、ウエストバンドの起立部が延出し、ウエストバンドの少なくとも一部が前屈みの姿勢を取る前の初期位置を維持し易い。よって、ウエストバンド全体の位置ずれを抑制し、前屈みの姿勢を取った際における臀部からの漏れを抑制できる。
【００１１】
好ましい一態様によれば、前記ファスニングテープは、前記前胴回り域に止着される係止部を有し、前記ウエストバンドは、前記伸長状態において、前記係止部から前記幅方向に延びる領域よりも後側に延出してよい。
【００１２】
本態様によれば、ファスニングテープの係止部から幅方向に延びる領域は、着用時に身体に密着する領域であり、一般的に臀部の割れ目よりも上側に配置される。伸長状態においてファスニングテープよりも後側にもウエストバンドが配置されており、ウエストバンドの起立部が着用時に臀部の割れ目よりも上側、すなわち臀部よりも遠い位置まで延出しやすい。ウエストバンドによる排泄物の収容空間を臀部から遠い位置にくるように形成でき、より漏れを抑制できる。
【００１３】
好ましい一態様によれば、前記ウエストバンドと前記ファスニングテープは、前記幅方向に離間してよい。
【００１４】
本態様によれば、ウエストバンドとファスニングテープが重ならないため、ウエストバンドとファスニングテープの重なり部分が肌に当たることによる違和感を軽減でき、ウエストバンドが肌に当たった際の異物感を抑制できる。
【００１５】
好ましい一態様によれば、前記ウエストバンドの前記起立部は、前記幅方向に伸縮するバンド伸縮領域を有し、前記バンド伸縮領域は、前記肌当接部と前記延出部のそれぞれに設けられており、前記肌当接部における前記バンド伸縮領域の前記前後方向の寸法は、前記延出部における前記バンド伸縮領域の前記前後方向の寸法よりも大きくてよい。
【００１６】
本態様によれば、延出部の伸長応力に対して肌当接部の伸長応力を大きくすることを容易にすることができる。よって、肌当接部が肌に追従し易くなり、前屈みの姿勢においてもウエストバンドの初期位置を維持し、漏れを抑制することができる。また、また、延出部の伸長応力が高すぎると、延出部が立ち上がりすぎ、延出部と肌当接部の間の収容空間を確保し難いことがある。しかし、延出部の収縮力が大きくなりすぎることに起因して延出部と肌当接部との間の収容空間が小さくなることを抑制でき、収容空間を確保し易い。
【００１７】
好ましい一態様によれば、前記防漏ギャザーは、前記収縮部よりも後側において前記収縮部の起立支点となる後支点部を有し、前記後支点部は、前記吸収コアと厚さ方向において重なる領域に配置されてよい。
【００１８】
本態様によれば、防漏ギャザーの収縮部が収縮した際に、防漏ギャザーの後支点部は、吸収コアの剛性によって前側に移動し難くなる。防漏ギャザーの後支点部の前側への移動を規制することで、ウエストバンドの前側への移動を抑制できる。前屈みの姿勢においてもウエストバンドの初期位置を維持し、漏れを抑制することができる。
【００１９】
好ましい一態様によれば、前記幅方向における前記ウエストバンドと前記ファスニングテープの間には、前記幅方向に伸縮する本体伸縮部が設けられてよい。
【００２０】
本態様によれば、着用者が腹部側に脚を引き寄せると、背部の皮膚が伸び、背部に対する後胴回り域の位置は、股下域側にずれる。このとき、腹部の皮膚は背部のように伸びず、腹部に対する前胴回り域の位置は、股下域側にずれ難い。よって、着用者が脚をお腹側に引き寄せた状態では、前胴回り域に止着したファスニングテープと、ファスニングテープが固定されている後胴回り域の間で本体伸縮部が伸長する。着用者が腹部側に引き寄せた脚を元に戻すと、後胴回り域は、脚回り開口部を介してウエスト開口側に移動するが、脚を上げる前の初期位置まで戻らないことがある。このとき、ファスニングテープとウエストバンドの間の本体伸縮部によってウエストバンドをファスニングテープ側に向かうようにウエスト開口側に引き寄せることができ、ウエストバンドを含む後胴回り域を前胴回り域と同じ高さとなる初期位置まで戻し易くなる。よって、前屈みの姿勢の後に姿勢を戻した際にウエストバンドを初期位置に戻しやすくなる。
【００２１】
好ましい一態様によれば、前記吸収コアを前後方向に三等分した３つの領域のうち最も後側に配置された領域には、当該領域において前後方向に連続するエンボス部が形成されてよい。
【００２２】
本態様によれば、授乳姿勢においては、腹部と股間との距離が短くなり、使い捨ておむつも股下域は腹部側から押圧される。このとき、吸収コアを前後方向に三等分した３つの領域のうち中央に位置する領域が押圧された状態となり、吸収コアを前後方向に三等分した３つの領域のうち中央に位置する領域が股下側から圧迫される。このとき、中央の領域の変形が最も後側の領域に伝わる。最も後側の領域には、前後方向に連続するエンボス部が形成されており、中央の領域から伝わった力が当該後側の領域の全体に伝わりやすい。よって、後側の領域の全体が元の位置に戻りやすくなり、ウエストバンドを初期位置に戻しやすくなる。
【００２３】
好ましい一態様によれば、肌当接部の前記幅方向における伸長応力は、延出部の伸長応力よりも大きくてよい。
【００２４】
本態様によれば、肌当接部の伸長応力が大きいため、着用者の背中に対して後胴回り域の位置がずれるのを抑えることができるとともに、延出部の伸長応力が小さいため、排泄物を収容するための空間が小さくなるのを抑えることができる。
【００２５】
好ましい一態様によれば、前記吸収コアと厚み方向に重なる領域には、前記幅方向及び前記前後方向の少なくとも一方に収縮する弾性体が前記吸収コアよりも非肌面側に配置されていなくてよい。
【００２６】
本態様によれば、吸収コアの非肌面側に弾性体が配置されていないため、弾性体の収縮に起因して吸収コアが肌面側に押さえつけられ難い。そのため、前屈みの姿勢によってウエストバンドの前後方向の位置がずれた場合であってもウエストバンドが初期位置に戻りやすい。
【００２７】
（２）使い捨ておむつの全体概略構成
以下、図面を参照して、実施形態に係る使い捨ておむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２８】
使い捨ておむつは、テープ型の使い捨ておむつである。図１は、実施形態に係る使い捨ておむつ１０の肌対向面側から見た模式平面図である。図２は、図１に示す使い捨ておむつの２Ａ−２Ａ断面に沿った模式断面図である。図３は、図１に示す使い捨ておむつの３Ａ−３Ａ断面に沿った模式断面図である。図１から図３は、伸長状態の使い捨ておむつを示している。なお、本発明における伸長状態とは、使い捨ておむつ１０を皺が形成されない状態まで伸長させた状態である。また、本発明における自然状態とは、パッケージに収容されている使い捨ておむつ１０にあっては、パッケージから使い捨ておむつ１０を取り出し、２０℃±２℃、相対湿度６０％±５％ＲＨの雰囲気下において２４時間放置した状態である。図４は、伸長状態における図１に示す４Ａ−４Ａ線に沿った模式断面図である。図５は、自然状態における図１に示す４Ａ−４Ａ線に沿った模式断面図である。図２から図５に示す模式断面図では、説明の便宜上、各部材を厚さ方向Ｔにおいて離間して示しているが、実際の製品においては厚さ方向Ｔに接している。図６及び図７は、図５を基準とした断面における着用状態を模式的に示した図である。図６に示すＢＬは、着用者の身体のラインを示している。
【００２９】
使い捨ておむつ１０は、互いに直交する前後方向Ｌ及び幅方向Ｗを有する。前後方向Ｌは、身体前側と身体後側とに延びる方向によって規定される。言い換えると、前後方向Ｌは、展開された使い捨ておむつ１０において前後に延びる方向である。また、使い捨ておむつ１０は、前後方向Ｌと幅方向Ｗの両方の直交する厚さ方向Ｔを有する。厚さ方向Ｔは、着用者側に向かう肌対向面側Ｔ１と、肌対向面側Ｔ１と反対側の非肌対向面側Ｔ２と、に延びる。
【００３０】
使い捨ておむつ１０は、前胴回り域Ｓ１と、後胴回り域Ｓ２と、股下域Ｓ３と、を有する。前胴回り域Ｓ１は、着用者の前胴回り（腹部）に対向する領域である。後胴回り域Ｓ２は、着用者の後胴回り（背部）に対向する領域であり、装着時に身体が載せられる領域を含む。股下域Ｓ３は、着用者の股下に位置し、前胴回り域Ｓ１と後胴回り域Ｓ２との間に配置された領域である。股下域Ｓ３は、着用者の脚回りに配置される脚回り開口部６５が設けられた領域である。脚回り開口部６５は、使い捨ておむつの外側縁から幅方向の内側に凹む部分である。
【００３１】
使い捨ておむつ１０は、吸収材料を含む吸収コア３１を含む。吸収コア３１は、粉砕パルプもしくは高吸収性ポリマー（ＳＡＰ）、又はこれらの混合物等の吸収材料を含む。吸収コア３１は、図示しないコアラップによって覆われてよい。吸収コア３１とコアラップによって吸収体が構成されてよい。コアラップは、ティッシュ又はＳＭＳ不織布によって構成され、吸収コア３１の肌対向面側Ｔ１と吸収コア３１の非肌対向面側Ｔ２に配置されてよい。
【００３２】
図２及び図３に示すように、使い捨ておむつ１０は、吸収コア３１よりも肌対向面側Ｔ１に位置する肌面側シート２０を有する。肌面側シート２０は、吸収コア３１を覆い、かつ使い捨ておむつ１０の全体に亘って配置されている。本実施形態の肌面側シート２０は、表面シート２１と一対のサイドシート２２を含む。なお、コアラップを有する使い捨ておむつにあっては、肌面側シート２０は、コアラップよりも肌対向面側Ｔ１に位置するシートである。表面シート２１は、吸収コア３１の幅方向Ｗの中心を跨いで配置されてよい。サイドシート２２は、表面シート２１の両外側部を覆うように配置されてよい。表面シート２１及びサイドシート２２は、例えば不織布や開孔プラスチックフィルムのような透液性シートによって構成されていてよい。
【００３３】
一対のサイドシート２２のそれぞれは、防漏ギャザー６０を構成してよい。防漏ギャザー６０は、収縮部６３と支点部６４を有し、左右に離間してよい。サイドシート２２の内側部は、折り返されて重なってよい。重なったサイドシート２２間には、前後方向Ｌに伸縮する防漏弾性部材６１が設けられてよい。防漏弾性部材６１は、前後方向Ｌに伸縮する糸ゴムによって構成されてよい。防漏ギャザーの収縮部６３は、防漏弾性部材６１の収縮によって肌対向面側Ｔ１に起立し、使い捨ておむつ１０の幅方向の中心の側方において横漏れを防ぐ壁を形成する。支点部６４は、収縮部６３の起立支点となる。支点部６４は、サイドシート２２と表面シート２１が接合されている。収縮部６３は、サイドシート２２が表面シート２１に接合されてなく、防漏弾性部材６１によって収縮可能な部分であり、非伸長状態の防漏弾性部材６１が配置された部分を含まない。支点部６４は、収縮部６３よりも後側に位置する後支点部６４Ａと、収縮部６３よりも幅方向Ｗの外側に位置する幅支点部６４Ｂと、収縮部６３よりも前側に位置する前支点部６４Ｃと、を有する。
【００３４】
ここで、本発明における外側部とは、幅方向Ｗにおける外側の縁を含む幅方向Ｗに一定の範囲を占める部分であり、外側縁とは、幅方向Ｗにおける外側の縁である。また、内側部とは、幅方向Ｗにおける内側の縁を含む幅方向Ｗに一定の範囲を占める部分であり、内側縁とは、幅方向Ｗにおける内側の縁である。
【００３５】
使い捨ておむつ１０は、吸収コア３１よりも非肌対向面側Ｔ２に位置する非肌面側シート２５を有する。非肌面側シート２５は、吸収コア３１を覆い、かつ使い捨ておむつの全体に亘って配置されている。本実施形態の非肌面側シート２５は、裏面シート２３と外装シート２４を含む。なお、コアラップを有する使い捨ておむつにあっては、非肌面側シート２５は、コアラップよりも非肌対向面側Ｔ２に位置するシートである。裏面シート２３は、液不透過性のシートであり、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。外装シート２４は、裏面シート２３の非肌対向面側Ｔ２に設けられてよい。外装シート２４は、液透過性の不織布によって構成されてよい。裏面シート２３の幅方向Ｗの長さは、外装シート２４の幅方向Ｗの長さよりも短く、裏面シート２３の前後方向Ｌの長さは、外装シート２４の前後方向Ｌの長さよりも短くてよい。
【００３６】
後胴回り域Ｓ２には、ファスニングテープ９０が設けられている。ファスニングテープ９０は、ベース部９２と係止部９３を有する。ベース部９２の少なくとも一部は、肌面側シート２０と非肌面側シート２５の間に接合され、かつ肌面側シート２０と非肌面側シート２５から幅方向Ｗの外側に延出する。係止部９３は、ベース部９２上に設けられ、前胴回り域Ｓ１のターゲット部９５（図１参照）に着脱可能に止着される。ファスニングテープ９０は、後胴回り域Ｓ２において幅方向Ｗに沿って延び、ターゲット部９５に止着されることにより、使い捨ておむつ１０を着用者の身体に保持する。ターゲット部９５は、前胴回り域Ｓ１に配置されており、ファスニングテープ９０がそれぞれ止着するように構成されている。
【００３７】
使い捨ておむつ１０は、後胴回り域Ｓ２において肌面側シート２０の肌対向面側Ｔ１に配置されたウエストバンド８０を有する。ウエストバンド８０は、本体部１０Ａに対して起立可能に構成されている。本体部１０Ａは、肌面側シート２０を含み、かつ肌面側シート２０の肌対向面側Ｔ１に配置されている。本体部１０Ａは、使い捨ておむつ１０におけるウエストバンド８０以外の部材によって構成されている。ウエストバンド８０は、幅方向に伸縮可能に構成されており、着用時に肌面側シート２０から浮き上がり、排泄物を収容する第１ポケットＰ１を形成する。第１ポケットＰ１は、ウエスト開口６６側に移動する排泄物を収容し、本発明のポケットを構成する。ウエストバンド８０の構成については、後述にて詳細に説明する。ウエスト開口６６は、使い捨ておむつの後端縁１０Ｒと前端縁１０Ｆによって構成され、ファスニングテープ９０がターゲット部９５に止着した状態で腰回りを囲む部分である。
【００３８】
サイドシート２２と裏面シート２３の間、又はサイドシート２２と外装シート２４の間には、前後方向Ｌに延びる脚回り弾性部材４２が設けられてよい。脚回り弾性部材４２は、前後方向Ｌに伸縮する帯状の伸縮シートによって構成されてよい。脚回り弾性部材４２の収縮によって、着用時に使い捨ておむつ１０が脚回りにフィットする。脚回り弾性部材４２は、吸収コア３１よりも幅方向Ｗの外側において、少なくとも股下域Ｓ３において脚回り開口部６５に沿って配置されている。脚回り弾性部材４２は、外装シート２４とサイドシート２２の間、及び裏面シート２３とサイドシート２２の間に配置されている。
【００３９】
サイドシート２２と裏面シート２３の間、及びサイドシート２２と外装シート２４の間には、幅方向Ｗに延びる腰回り弾性部材４５が設けられてよい。腰回り弾性部材４５は、幅方向Ｗに伸縮する略矩形の伸縮シートによって構成されてよい。腰回り弾性部材４５は、肌面側シート２０と非肌面側シート２５の間に接合されている。より詳細には、図４に示すように、腰回り弾性部材４５は、幅方向Ｗに伸長した状態で、吸収コア３１と非肌面側シート２５の間、又は肌面側シート２０と非肌面側シート２５の間に接合されている。腰回り弾性部材４５の収縮によって、着用時に使い捨ておむつ１０が腰回りにフィットする。腰回り弾性部材４５は、少なくとも後胴回り域Ｓ２に配置されている。
【００４０】
（３）ウエストバンドの構成
次いで、ウエストバンド８０の構成について詳細に説明する。図２及び図５に示すように、ウエストバンド８０は、シート材８１が折り返されて構成されてよい。シート材８１は、複数のシートが積層されてよい。ウエストバンド８０は、シート材８１に接合されたバンド弾性部材８２を有してよい。他の形態において、ウエストバンド８０は、バンド弾性部材８２を有さず、シート材８１自体が伸縮性を有していてよい。本実施形態のウエストバンド８０のシート材８１は、第１不織布層８１１と、第２不織布層８１２と、第１不織布層８１１と第２不織布層８１２の間に配置されたフィルム層８１３と、を含む。第１不織布層８１１と第２不織布層８１２は、本発明の不織布層を構成している。第１不織布層８１１と第２不織布層８１２は、同一の不織布によって構成され、ウエストバンド８０の折り返し部８６の頂点において折り返されている。第１不織布層８１１は、ウエストバンド８０において最も肌面側シート２０側に位置している。なお、他の形態において、ウエストバンド８０は、フィルム層８１３のみによって構成されていてもよいし、フィルム層８１３と第１不織布層８１１のみによって構成されていてよい。第１不織布層８１１と第２不織布層８１２は、異なる不織布によって構成されていてもよい。
【００４１】
バンド弾性部材８２は、糸状又は帯状の弾性部材によって構成され、幅方向Ｗに伸長した状態で、シート材８１に固定されている。本実施形態のバンド弾性部材８２は、第１不織布層８１１とフィルム層８１３との間に固定されている。バンド弾性部材８２は、前後方向Ｌに間隔を空けて複数配置されている。バンド弾性部材８２は、後述する対向部８３と折り返し部８６において、それぞれ複数配置されている。
【００４２】
よって、ウエストバンド８０は、幅方向Ｗに伸縮可能に構成されている。ウエストバンド８０は、バンド弾性部材８２によって幅方向に伸縮するように構成されていてもよいし、シート材が伸縮性を有することによって幅方向に伸縮するように構成されていてもよい。ウエストバンド８０は、少なくとも起立部が収縮可能に構成されていればよく、起立部及び基端部の全体が収縮可能に構成されていてもよい。
【００４３】
ウエストバンド８０は、ウエストバンド８０において最も肌面側シート２０側に位置する対向部８３を有する。対向部８３は、肌面側シート２０に当接可能な部分であり、最も肌面側シート２０側に位置するシート材８１を含んだ部分であって、折り目ＦＬを基点に折り返されていない部分によって構成されている。折り目ＦＬは、対向部８３の前端縁に位置する。本実施形態の対向部８３は、折り目ＦＬに対して折り返されていない部分であり、折り目ＦＬよりも後側に位置している。図４において、対向部８３に斜線を付して示す。
【００４４】
ウエストバンド８０は、対向部８３に対して折り返された折り返し部８６を有する。折り返し部８６は、折り目ＦＬを基点に、後側かつ肌面側に向かって折り畳まれている。折り返し部８６は、図４において、斜線が付されていないウエストバンドの部分である。
【００４５】
ウエストバンド８０は、肌面側シート２０に対して起立可能に構成された起立部８５と、起立部８５の起立支点となる基端部と、を有する。起立部８５は、対向部８３に設けられた延出部８８と、折り返し部８６に設けられた肌当接部８９と、を有する。基端部は、起立部８５と前後方向に隣接する前後基端縁を有する前後基端部８４と、起立部８５と幅方向に隣接する幅基端縁を有する幅基端部８７と、を有する。
【００４６】
前後基端部８４は、対向部８３に設けられ、ウエストバンドの後端部に位置する。前後基端縁は、起立部８５（延出部８８）の起立支点となる。前後基端縁は、前後基端部８４と延出部８８の境界であり、延出部８８と前後方向に隣接する。前後基端縁は、前後基端部８４の前端縁８４Ｆ（図４参照）によって構成されている。前後基端部８４は、前後基端縁から後側に延びている。前後基端部８４の後端縁８４Ｒは、ウエストバンド８０の後端縁８０Ｒまで延びてよく、使い捨ておむつ１０の後端縁１０Ｒに一致してもよい。
【００４７】
幅基端部８７は、対向部８３に設けられた第１幅基端部８７１と、肌当接部８９に設けられた第２幅基端部８７２と、を有してよい。第１幅基端部８７１は、肌面側シート２０に対して接合されており、起立部８５（延出部８８）の起立支点となる。第１幅基端縁は、第１幅基端部８７１と延出部８８の境界であり、延出部８８と幅方向に隣接する。第１幅基端縁は、第１幅基端部８７１の内側縁８７１Ｉ（図２参照）によって構成されている。第１幅基端部８７１は、左右に離間して配置されている。起立部としての延出部８８は、第１幅基端縁及び前後基端縁を基点として肌面側シート２０に対して起立する。
【００４８】
図５及び図６に示すように、起立部８５としての延出部８８と肌面側シート２０とによって挟まれた空間によって、前側に向かって開口する第１ポケットＰ１を形成している。図４に示すように、伸長状態における延出部８８の前後方向の長さｂは、前後基端部８４の前端縁８４Ｆと折り目ＦＬとの距離である。延出部８８の幅方向の長さは、一対の第１幅基端部８７１間の距離である。第１ポケットＰ１によって股下域Ｓ３側からウエスト開口６６側へ拡散する排泄物を収容できる。第１ポケットＰ１の後端縁は、前後基端部８４の前端縁８４Ｆであり、第１ポケットＰ１の外側縁は、第１幅基端部８７１の内側縁８７１Ｉである。すなわち、第１ポケットＰ１の前端縁は、延出部８８の前端縁となる。
【００４９】
第２幅基端部８７２は、対向部８３に対して接合されており、起立部８５（肌当接部８９）の起立支点となる。第２幅基端縁は、第２幅基端部８７２と肌当接部８９の境界であり、肌当接部８９と幅方向に隣接する。第２幅基端縁は、第２幅基端部８７２の内側縁８７２Ｉ（図２参照）によって構成されている。第２幅基端部８７２は、左右に離間して配置されている。第２幅基端部８７２は、折り返し部８６の幅方向の両側部に一対で設けられている。一対の第２幅基端部８７２の間の領域の折り返し部８６は、対向部８３に対して着用者側に起立する起立部８５（肌当接部８９）を構成する。起立部としての肌当接部８９は、第２幅基端縁及び折り目ＦＬを基点として肌面側シートに対して起立する。
【００５０】
肌当接部８９は、対向部８３の前端縁８３Ｆから後側に延びる。伸長状態において、肌当接部８９の後端縁８９Ｒは、対向部８３の後端縁８３Ｒと一致していてもよいし、対向部８３の後端縁８３Ｒよりも前側であってもよいし、対向部８３の後端縁８３Ｒよりも後側であってもよい。本実施形態では、肌当接部８９の後端縁８９Ｒと対向部８３の後端縁８３Ｒは、前後方向Ｌにおいて一致している。
【００５１】
肌当接部８９の少なくとも一部には、肌当接面８９Ａが形成されている。肌当接面８９Ａは、ウエストバンドにおいて最も肌面側に位置する面であり、着用者の肌に当接する面である。なお、変形例に係るウエストバンドは、肌当接部８９の後端縁８９Ｒにおいて幅方向Ｗに延びる折り目を基点に、肌面側シート２０から離れる側に折り畳まれていてもよい。当該変形例にあっては、更に折られた部分も肌当接部８９を構成する。
【００５２】
折り返し部８６と肌当接部８９とによってウエスト開口６６側に開口する第２ポケットＰ２を形成する。図４に示すように、伸長状態における肌当接部８９の前後方向の長さａは、肌当接部の後端縁８９Ｒと折り目ＦＬとの距離である。肌当接部８９の幅方向の長さは、一対の第２幅基端部８７２間の距離である。図６に示すように、着用状態において肌当接部８９が肌に当接した状態で対向部８３が身体から離れると、身体の動きによって第２ポケットＰ２の空間が変形する。例えば、着用者が前屈みの姿勢になった場合など、ウエスト開口６６が着用者の身体から離れた際に、折り返し部８６と対向部８３の空間が広がり、ウエストバンド８０の起立部８５が身体に追従し易くなる。よって、ウエスト開口６６側への排泄物の漏れを抑制できる。
【００５３】
幅基端縁は、防漏ギャザー６０の幅支点部６４Ｂよりも幅方向の外側に位置してよい。本実施の形態のように、幅基端縁を構成する第１幅基端縁８７１Ｉ及び第２幅基端縁８７２Ｉを有する構成にあっては、第１幅基端縁８７１Ｉ及び第２幅基端縁８７２Ｉの少なくともいずれか一方が、幅支点部６４Ｂよりも幅方向の外側に位置していればよい。また、一対の第１幅基端縁８７１Ｉのうち少なくとも一方が、防漏ギャザー６０の幅支点部６４Ｂよりも幅方向の外側に位置していればよく、一対の第２幅基端縁８７２Ｉのうち少なくとも一方が、防漏ギャザー６０の幅支点部６４Ｂよりも幅方向の外側に位置していればよい。
【００５４】
ウエストバンドの起立部は、幅基端縁及び前後基端縁を基点として起立してポケットを形成する。具体的には、第１幅基端縁及び前後基端縁を基点して起立して第１ポケットＰ１を形成し、第２幅基端縁及び第１折り目ＦＬを基点して起立して第２ポケットＰ２を形成する。このとき、身体の動きに応じて肌当接部８９の肌当接面８９Ａが肌に当たった状態で延出部８８が変形し、ウエストバンド８０が身体の動きに追従する。起立部が後側に延出する際における前後方向の基点は、前後基点縁であり、幅方向の基点は、第１幅基端縁及び第２幅基端縁である。第１幅基端縁及び第２幅基端縁の少なくとも一方が幅支点部６４Ｂよりも幅方向の外側に位置しており、防漏ギャザーの収縮部の収縮によって厚さ方向にウエストバンドの起立部が浮き上がり難く、かつ前側に起立部が引っ張れ難い。前屈みの姿勢で背中の皮膚が伸びた際に、ウエストバンドの起立部が延出し、ウエストバンドの少なくとも一部が前屈みの姿勢を取る前の初期位置を維持し易い。よって、ウエストバンド全体の位置ずれを抑制し、前屈みの姿勢を取った際における臀部からの漏れを抑制できる。
【００５５】
図４に示すように、ウエストバンドの伸長状態において、肌当接部の前後方向の長さをａとし、延出部の前後方向の長さをｂとし、前後基端縁から使い捨ておむつの後端縁までの前後方向の距離をｃとすると、ａ＋ｂ＞ｃを満たす。例えば、着用者が前屈みの姿勢等で臀部の皮膚が伸びると、図７に示すように、延出部が折り目を基点に後側に延びるように変形し、ウエストバンドが後側に延出する。このとき、起立部（延出部＋肌当接部）の前後方向の最大長さは、ａ＋ｂであり、前後基端縁から使い捨ておむつの後端縁までの前後方向の距離ｃよりも長い。よって、起立部が最も後側に延出した状態で、起立部は、使い捨ておむつの後端縁よりも後側に延出する。よって、起立部が使い捨ておむつの後端縁を越えて後側まで延出し、前屈みの姿勢においてもウエストバンドの初期位置を維持し、漏れを抑制することができる。
【００５６】
ウエストバンド８０は、後胴回り域Ｓ２においてウエスト開口６６の近傍に配置されてよい。ウエストバンド８０の前端縁８０Ｆは、ファスニングテープ９０の前端縁９０Ｆよりも後側に位置してよい。ウエストバンドの後端縁８０Ｒは、使い捨ておむつの後端縁１０Ｒに一致してよい。ウエストバンド８０の外側縁８０Ｅは、吸収コア３１の外側縁３１Ｅよりも幅方向の外側に位置してよく、ファスニングテープ９０の内側縁よりも幅方向の内側に位置してもよい。すなわち、ウエストバンド８０とファスニングテープ９０は、幅方向Ｗに離間してよい。ウエストバンド８０とファスニングテープ９０が重なっていないため、ウエストバンド８０とファスニングテープ９０の重なり部分が肌に当たることによる違和感を軽減でき、ウエストバンドが肌に当たった際の異物感を抑制できる。前後基端部８４の前端縁８４Ｆは、伸長状態において、吸収コア３１の後端縁３１Ｒよりも後側に位置してよいし、吸収コア３１の後端縁３１Ｒと一致していてもよい。なお、本実施形態の使い捨ておむつ１０は、前後基端部８４の後端縁８４Ｒ、対向部８３の後端縁８３Ｒ、ウエストバンドの後端縁８０Ｒ及び使い捨ておむつ１０の後端縁１０Ｒは、前後方向Ｌにおける位置が一致している。
【００５７】
ウエストバンド８０は、ファスニングテープの係止部９３から幅方向に延びる係止領域Ｒ９３よりも後側に延出してよい。図１において、係止領域Ｒ９３に斜線を付して示す。係止領域Ｒ９３の後端縁は、係止部９３の後端縁であり、係止領域Ｒ９３の前端縁は、係止部９３の前端縁である。係止領域Ｒ９３は、着用時に身体に密着する領域であり、一般的に臀部の割れ目よりも上側に配置される。伸長状態において係止領域Ｒ９３よりも後側にもウエストバンド８０が配置されており、ウエストバンド８０の起立部が着用時に臀部の割れ目よりも上側、すなわち臀部よりも遠い位置まで延出しやすい。ウエストバンド８０による排泄物の収容空間を臀部から遠い位置にくるように形成でき、より漏れを抑制できる。ウエストバンドの起立部が着用時に身体に密着する領域よりも後側に延出しやすい。ウエストバンドによる排泄物の収容空間を臀部から遠い位置にくるように形成でき、より漏れを抑制できる。
【００５８】
ウエストバンド８０の起立部８５は、幅方向に伸縮するバンド伸縮領域Ｒ８０を有している。バンド伸縮領域Ｒ８０は、バンド弾性部材によって幅方向に収縮する領域である。バンド伸縮領域Ｒ８０は、延出部８８と肌当接部８９の両方に設けられている。図２及び図４において、バンド伸縮領域Ｒ８０を示す。
【００５９】
図１に示すように、前後方向において、バンド伸縮領域の中心とファスニングテープの中心は、ずれている。詳細には、ウエストバンドの前後方向の中心及びバンド伸縮領域Ｒ８０の前後方向の中心は、ファスニングテープ９０の前後方向の中心よりも後側であってよい。ここで、ファスニングテープの前後方向の中心は、係止部９３及びベース部９２を含むファスニングテープ全体の中心である。装着時にファスニングテープを幅方向の外側に引っ張ると、ファスニングテープを介してバンド伸縮領域が幅方向の外側に引っ張られる。
【００６０】
本実施の形態の使い捨ておむつは、ウエストバンド８０をより後側に配置しており、ファスニングテープ９０の中心とバンド伸縮領域の中心が前後方向にずれ易い。そのため、ファスニングテープを幅方向の外側に引っ張った際に、ファスニングテープから幅方向に延びる領域の前後方向の全域に亘って均等に応力が発生せず、ファスニングテープ９０から幅方向に延びる領域では、応力差が生じる。
【００６１】
このとき、ファスニングテープ９０とウエストバンド８０が幅方向に離間しているため、ファスニングテープ９０を介してウエストバンド８０にダイレクトに力が伝わらず、バンド伸縮領域Ｒ８０の応力差が緩和されてファスニングテープに伝わり易くなる。よって、バンド伸縮領域の応力差によってファスニングテープを幅方向の外側に引っ張り難くなる不具合を抑制できる。
【００６２】
防漏ギャザー６０の後支点部６４Ａは、吸収コア３１と厚さ方向Ｔにおいて重なる領域に配置されてよい。防漏ギャザー６０の収縮部６３が収縮すると、防漏ギャザー６０の後支点部６４Ａは、前側に引っ張られる。このとき、後支点部６４Ａは、吸収コア３１に重なっており、吸収コア３１の剛性によって前側に移動し難い。また、後支点部６４Ａが吸収コア３１よりも後側に配置されていると、後支点部６４Ａと吸収コア３１の間の領域がたくれ、後支点部６４Ａが前側に移動するおそれがある。防漏ギャザー６０の後支点部６４Ａが前側に移動すると、使い捨ておむつの後端縁１０Ｒ全体が前側に移動し、ウエストバンド８０も前側に移動し易い。後支点部６４Ａが、吸収コア３１と厚さ方向Ｔにおいて重なる領域に配置されている場合、防漏ギャザー６０の後支点部６４Ａの前側への移動を規制するため、ウエストバンドの前側への移動を抑制し、前屈みの姿勢においてもウエストバンド８０の初期位置を維持し、漏れを抑制することができる。
【００６３】
幅方向におけるウエストバンドとファスニングテープの間には、幅方向に伸縮する本体伸縮部が設けられてよい。本体伸縮部は、腰回り弾性部材４５によって構成されてよい。幅方向におけるウエストバンドとファスニングテープの間の少なくとも一部に腰回り弾性部材４５が配置されていればよい。図８は、着用者が脚を曲げた状態と、曲げた脚を元に戻した状態と、の着用者の模式側面図である。図８（ａ）に示すように、着用者が腹部側に脚を引き寄せると、背部の皮膚が伸び、背部に対する後胴回り域の位置は、股下域側にずれる。このとき、腹部の皮膚は背部のように伸びず、腹部に対する前胴回り域の位置は、股下域側にずれ難い。着用者が脚をお腹側に引き寄せた状態では、前胴回り域に止着したファスニングテープの位置がずれ難いため、前胴回り域に止着したファスニングテープと、ファスニングテープが固定されている後胴回り域Ｓ２の間で腰回り弾性部材４５が伸長する。
【００６４】
次いで、図８（ｂ）に示すように、着用者が腹部側に引き寄せた脚を元に戻すと、後胴回り域Ｓ２は、脚回り開口部６５を介してウエスト開口６６側に移動するが、脚を上げる前の初期位置まで戻らないことがある。このとき、ファスニングテープとウエストバンドの間の本体伸縮部によってウエストバンドをファスニングテープ側に向かうようにウエスト開口６６側に引き寄せることができ、ウエストバンドを含む後胴回り域を前胴回り域と同じ高さとなる初期位置まで戻し易くなる。よって、前屈みの姿勢の後に姿勢を戻した際にウエストバンドを初期位置に戻しやすくなる。
【００６５】
図１に示すように、吸収コア３１を前後方向に三等分した３つの領域のうち最も後側に配置された領域には、当該領域において前後方向に連続するエンボス部３２が形成されてよい。授乳姿勢等において着用者が脚を腹部側に引き寄せると、背部の皮膚が伸び、背部に対する後胴回り域Ｓ２の位置は、股下域側にずれる。このとき、腹部における皮膚は背部のように伸びず、前胴回り域Ｓ１の位置は、股下域Ｓ３側にずれ難い。しかし、授乳姿勢においては、腹部と股間との距離が短くなり、使い捨ておむつの股下域も腹部側から押圧される。このとき、吸収コア３１を前後方向に三等分した３つの領域のうち中央に位置する領域が股下側から圧迫される。このとき、中央の領域の変形が最も後側の領域に伝わる。最も後側の領域には、前後方向に連続するエンボス部３２が形成されており、中央の領域から伝わった力が当該後側の領域の全体に伝わりやすい。よって、後側の領域の全体が元の位置に戻りやすくなり、ウエストバンド８０を初期位置に戻しやすくなる。
【００６６】
肌当接部８９の幅方向における伸長応力は、延出部８８の伸長応力よりも大きくてよい。肌当接部の伸長応力が大きいため、着用者の背中に対して後胴回り域の位置がずれるのを抑えることができる。また、延出部８８の伸長応力が高すぎると、延出部８８が立ち上がりすぎ、延出部８８と肌当接部８９の間の収容空間を確保し難いことがある。しかし、延出部の伸長応力が小さいため、排泄物を収容するための空間が小さくなるのを抑えることができる。また、延出部８８の収縮力が大きくなりすぎることに起因して延出部８８と肌当接部８９との間の収容空間が小さくなることを抑制でき、収容空間を確保し易い。
【００６７】
なお、肌当接部８９及び延出部８８の伸長応力の測定には、（株）島津製作所製のオートグラフ型引張試験機（例えば、ＡＧ−１ＫＮ１）を用いた。まず、使い捨ておむつ１０の後胴回り域Ｓ２をその表面に各バンド弾性部材８２の収縮作用によるギャザーがなくなる程度にまで伸長させた状態で、ウエストバンドの延出部８８及び肌当接部８９の幅方向の寸法を測定した後、カッターによって、肌当接部８９及び延出部８８のそれぞれを、その寸法で切断する。バンド弾性部材８２を含むように延出部８８及び肌当接部８９を切り取って試料とした。次に、各試料の一方端を固定チャック、他方端を可動チャックに挟み、３００ｍｍ／ｍｉｎの速度で初期寸法の約９０％の大きさまで伸長させた後に反転させて、初期寸法の約７５％の大きさまで各試料を収縮させたときの引張荷重（Ｎ）を求めて、単位幅（ｍｍ）当たりの応力（Ｎ／ｍｍ）に換算して伸長応力とした。
【００６８】
肌当接部８９におけるバンド伸縮領域Ｒ８０の前後方向Ｌの寸法は、延出部８８におけるバンド伸縮領域Ｒ８０の前後方向の寸法よりも大きくてよい。延出部８８の伸長応力に対して肌当接部８９の伸長応力を大きくすることを容易にすることができる。よって、肌当接部８９が肌に追従し易くなり、前屈みの姿勢においてもウエストバンド８０の初期位置を維持し、漏れを抑制することができる。
【００６９】
変形例に係る使い捨ておむつにおいて、吸収コア３１と厚み方向に重なる領域には、幅方向Ｗ及び前後方向Ｌの少なくとも一方に収縮する弾性体（例えば、腰回り弾性部材４５）が吸収コア３１よりも非肌面側に配置されていなくてよい。吸収コア３１の非肌面側に弾性体が配置されてないため、弾性体の収縮に起因して吸収コアが肌面側に押さえつけられにくい。そのため、ウエストバンド８０の前後方向Ｌの位置がずれた場合であってもウエストバンド８０が初期位置に戻りやすい。好適には、ウエストバンド８０が配置された後胴回り域において、吸収コア３１の非肌面側に弾性体が配置されてなく、より好適には、ウエストバンド８０と吸収コア３１が重なる領域において、吸収コア３１の非肌面側に弾性体が配置されてない。弾性体の収縮に起因してウエストバンド８０が肌面側に押さえつけられることをより抑制できる。
【００７０】
次いで、変形例に係る使い捨ておむつ１０Ｘについて、図９から図１１を参照して説明する。なお、以下の変形例の説明において、実施形態と同様の構成については、同符号を用いて説明を省略する。変形例に係る使い捨ておむつは、ウエストバンドの構成が実施の形態と異なるが、それ以外の構成は、実施の形態と同様である。
【００７１】
図９は、変形例に係る使い捨ておむつの図４を基準とした断面におけるウエストバンド８０Ｘが延出していない着用状態を模式的に示した図である。図１０は、変形例に係る使い捨ておむつの図４を基準とした断面におけるウエストバンド８０Ｘが延出した着用状態を模式的に示した図である。図１１は、変形例に係る使い捨ておむつの図２を基準とした断面を示した図である。
【００７２】
変形例に係るウエストバンド８０Ｘの起立部８５Ｘは、延出部８８Ｘに設けられており、前後基端部８４Ｘは、対向部８３Ｘに設けられている。ウエストバンド８０Ｘの起立部８５Ｘは、前後基端部８４Ｘの後端縁に位置する第１折り目ＦＬ１を基点に前側かつ肌面側に折り返され、更に第２折り目ＦＬ２を基点に後側かつ肌面側に折り返されている。延出部８８Ｘは、第１折り目ＦＬ１と第２折り目ＦＬ２の間に設けられている。肌当接部８９Ｘは、第２折り目ＦＬ２よりも後側に設けられている。
【００７３】
また、図１１に示すように、幅基端部は、延出部８８Ｘに設けられた第３幅基端部８７３と、肌当接部８９Ｘに設けられた第４幅基端部８７４と、を有する。延出部８８Ｘは、第３幅基端部８７３において対向部８３Ｘに接合されており、肌当接部８９Ｘは、第４幅基端部８７４において対向部８３Ｘに接合されている。延出部８８Ｘの幅方向における起立支点は、第３幅基端部８７３の内側縁８７３Ｉによって構成されており、肌当接部８９Ｘの幅方向における起立支点は、第４幅基端部８７４の内側縁８７４Ｉによって構成されている。
【００７４】
ウエストバンド８０の起立部８５Ｘは、幅基端縁及び前後基端縁を基点として起立してポケットを形成する。図９及び図１０に示すように、起立部８５Ｘとしての延出部８８Ｘは、第３幅基端縁及び前後基端縁を基点として対向部８３Ｘに対して起立する。延出部８８Ｘと対向部８３Ｘとによって挟まれた空間によって、前側に向かって開口する第１ポケットＰ１を形成する。また、起立部８５Ｘとして肌当接部８９Ｘは、第４幅基端縁及び第２折り目ＦＬ２を基点として延出部８８に対して起立する。起立部の延出部８８Ｘと肌当接部８９Ｘによって挟まれた空間によって、後側に向かって開口する第２ポケットＰ２を形成している。
【００７５】
図８に示すように、着用状態において、延出部８８Ｘが対向部８３Ｘに対して起立し、肌当接部８９Ｘが延出部８８Ｘに対して起立する。起立部８５Ｘの前後方向における起立支点となる前後基端縁は、前後基端部８４Ｘの後端縁によって構成されている。よって、起立部（延出部８８＋肌当接部８９）の前後方向の最大長さは、ａ１＋ｂ１である。前後基端縁から使い捨ておむつの後端縁までの前後方向の距離ｃ１は、ａ１＋ｂ１よりも短く構成されている。また、変形例に係る幅基端縁は、防漏ギャザー６０の幅支点部６４Ｂよりも幅方向の外側に位置している。第３幅基端縁及び第４幅基端縁の少なくともいずれか一方が、幅支点部６４Ｂよりも幅方向の外側に位置していればよい。
【００７６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００７７】
本発明によれば、前屈みの姿勢においてもウエストバンドの初期位置を維持し、臀部からの漏れを抑制できる使い捨ておむつを提供できる。
【符号の説明】
【００７８】
１０、１０Ｘ        ：使い捨ておむつ
１０Ｆ      ：使い捨ておむつの前端縁
１０Ｒ      ：使い捨ておむつの後端縁
２０        ：肌面側シート
２１        ：表面シート
２２        ：サイドシート
３１        ：吸収コア
３１Ｅ      ：吸収コアの外側縁
３１Ｒ      ：吸収コアの後端縁
３２      ：エンボス部
４５        ：腰回り弾性部材
６０        ：防漏ギャザー
６１        ：防漏弾性部材
６４Ａ      ：後支点部
６４Ｂ      ：幅支点部
６５        ：脚回り開口部
６６        ：ウエスト開口
８０、８０Ｘ    ：ウエストバンド
８０Ｆ  ：ウエストバンドの前端縁
８０Ｒ  ：ウエストバンドの後端縁
８１        ：シート材
８１１      ：第１不織布層
８１２      ：第２不織布層
８１３      ：フィルム層
８２        ：バンド弾性部材
８４        ：前後基端部
８４Ｆ      ：前後基端部の前端縁（前後基端縁）
８５        ：起立部
８６        ：折り返し部
８６Ｒ      ：折り返し部の後端縁
８７１      ：第１幅基端部（幅基端部）
８７２      ：第２幅基端部（幅基端部）
８７３      ：第３幅基端部（幅基端部）
８７４      ：第４幅基端部（幅基端部）
９０        ：ファスニングテープ
９３        ：係止部
ＦＬ        ：折り目
ＦＬ１      ：第１折り目
ＦＬ２      ：第２折り目
Ｐ１        ：第１ポケット
Ｐ２        ：第２ポケット
Ｓ１        ：前胴回り域
Ｓ２        ：後胴回り域
Ｓ３        ：股下域
Ｔ          ：厚さ方向
Ｔ１        ：肌対向面側
Ｔ２        ：非肌対向面側
Ｌ          ：前後方向
Ｗ          ：幅方向
【図１】
2020089673.tif 000003
【図２】
2020089673.tif 000004
【図３】
2020089673.tif 000005
【図４】
2020089673.tif 000006
【図５】
2020089673.tif 000007
【図６】
2020089673.tif 000008
【図７】
2020089673.tif 000009
【図８】
2020089673.tif 000010
【図９】
2020089673.tif 000011
【図１０】
2020089673.tif 000012
【図１１】
2020089673.tif 000013